(57)【特許請求の範囲】
【請求項１】
被写体を画像情報として取り込むカメラレンズ、取り込まれた画像情報をアナログデータ、または、デジタルデータに変換する装置、変換データをライン出力するためのライン接続部をノック式筆記用具と一体化したキャラクター部材に一体化して組込んだものであり、ノック部が撮影するためのシャッター部をも兼ねていることを特徴とするキャラクター形状を利用し、ノック式筆記具と一体化したカメラレンズ端末ユニット。
【請求項２】
キャラクター部材が、可動部、及び／又は、発光・点滅部を有したものであることを特徴とする請求項１に記載のキャラクター形状を利用し、ノック式筆記具と一体化したカメラレンズ端末ユニット。
【発明の詳細な説明】
【０００１】
【発明の属する技術分野】
本発明は、キャラクター形状を利用して独立したユニットとなした画像情報取り込み専用のカメラレンズ端末装置と該カメラレンズ端末装置を組合わせた複数の装置ユニットによって形成される画像処理システムに関するものである。
【０００２】
【従来の技術】
光学レンズを介して取り込まれる画像情報をアナログ信号、または、デジタル信号に変換した上で、保存、再生、加工等の作業を行わしめるカメラやビデオ装置は、アナログ方式、デジタル方式を問わず広く普及してきている。
【０００３】
また、パソコンなどの情報処理端末機器に専用の画像処理ボードやソフトを組込んだ上で、画像取り込み用の端末機器を付加せしめ、取り込まれたデジタルな画像データに基づいて種々の作業を行うことも近時は一般化してきている。
【０００４】
【発明が解決しようとする課題】
しかし、上記したような従来の技術では、画像取り込み用のユニットと画像データの保存、再生、加工等作業用装置とが一体化したカメラやビデオの装置であって、技術進歩により小型化はされているがそれなりに大きく且つ高価なものである。また、カメラやビデオを向けられた者は常に撮影されていることを意識してしまい、スナップショットのような自然でリラックスした状態を撮影しようとしても困難であることが多い。
【０００５】
また、パソコンなどの情報処理端末機器に別個に取付け可能な画像取り込み装置であっても、それが画像取り込み用の装置であることは一目瞭然であり、やはり画像取り込みに際して被撮影者の自然な表情を撮ることには困難がある。
【０００６】
さらに、携帯電話のような通信情報端末機器もその液晶表示部の如きで画像データを表示できるようになったものが提案されているが、画像データ取り込みのために必要最小限のものとした別体装置の如きは提案されていない。
【０００７】
【課題を解決するための手段】
本発明は、上記したような従来技術における課題を解消することについて、実験と検討を繰り返し行い創案されたものであって、画像データを取り込み、該画像データの処理装置へ送るための必要最小限の部材を様々なキャラクター形状を利用した筐体の如きに組込んだカメラレンズ端末ユニットを提案すると共に、該カメラレンズ端末ユニットと組合わせて使用するに適した画像処理システムを提案するものであって、具体的には以下のとおりである。
【０００８】
（１）  被写体を画像情報として取り込むカメラレンズ、取り込まれた画像情報をアナログデータ、または、デジタルデータに変換する装置、変換データをライン出力するためのライン接続部をノック式筆記用具と一体化したキャラクター部材に一体化して組込んだものであり、ノック部が撮影するためのシャッター部をも兼ねていることを特徴とするキャラクター形状を利用し、ノック式筆記具と一体化したカメラレンズ端末ユニット。
【０００９】
（２）  キャラクター部材が、可動部、及び／又は、発光・点滅部を有したものであることを特徴とする請求項１に記載のキャラクター形状を利用し、ノック式筆記具と一体化したカメラレンズ端末ユニット。
【００１２】
【作用】
被写体を画像情報として取り込むカメラレンズ、取り込まれた画像情報をアナログデータ、または、デジタルデータに変換する装置、変換データをライン出力するためのライン接続部を様々な形態を採ったキャラクター部材に一体化して組込むことで、必要最少限の部材で構成されたカメラレンズ端末ユニットとなし、しかも多様なキャラクター形状を採用することで美感や趣味性を満足し、ユーモア感覚のある独自な製品とすることが可能となる。
【００１３】
キャラクター形状を利用したカメラレンズ端末ユニットをシャープペンシルやボールペンなどのノック式筆記具と一体化し、しかも該ノック式筆記具のノック部を撮影のためのシャッターとしても兼用させることで、複数の機能を併せ持つ新たな製品を実現することができる。
【００１４】
キャラクター部材に、可動部や発光・点滅部を更に付加することで、より多様な娯楽性、趣味性を満足することができるカメラレンズ端末ユニットとすることが可能となる。
【００１５】
カメラレンズ端末ユニットと共に、画像データを送るライン部材、画像データを蓄積するメモリー装置、画像データを再生する出力装置、および電源となるバッテリーを組合わせて画像処理システムとすることで、別体として最少限度の部品により構成したカメラレンズ端末ユニットを介して取り入れた画像データを適切に蓄積・保存・再生等するための画像処理システムが形成され、適宜に画像データを利用することが可能となる。
【００１６】
【発明の実施の形態】
上記した本発明の具体的な実施形態について、その１例を添付する図面にしたがって説明すると以下のとおりである。
すなわち、図１は、本発明によるカメラレンズ端末ユニット１をノック式筆記具２の頂端部に取付けた場合の１例を画像処理システム3の構成概念図と共に示したものである。
【００１７】
キャラクター形状の筐体４には、画像データを取り込むためのレンズ５と該画像データをアナログ形式又はデジタル形式に変換する変換装置６、変換後の画像データをライン出力するためのライン接続部７が組込まれている。これら部材は画像データを取り込んでライン出力するための最少限の構成要素であり、これらをコンパクトな構成でキャラクター形状の筐体４にまとめたところに本発明の特質が存在するものである。
【００１８】
本発明のカメラレンズ端末ユニット１は、基本的には、ライン８を介して画像処理システム３と接続された状態で作動するものであり、画像データを記憶するメモリー装置９、画像データを再生する液晶表示装置などの出力装置１０、システム全体を作動させる電力を供給するバッテリー１１は該画像処理システム３の構成要素となっている。なお、カメラレンズ端末ユニット１に対する電力供給も基本的には該バッテリー１１によりライン８を介して行うものである。
また、図１の場合には、ボールペンやシャープペンシルなどのノック式筆記具２に取付けられたものとなっているので、筆記部操作のためのノック部１２を画像データ取り込みのためのシャッタースイッチと兼用させてノック操作によって画像データ取り込みのオン・オフ操作を行わせれば都合のよいものとなる。
【００１９】
画像データの変換形式としてアナログ方式を採用した場合には、画像処理システム３としては従来一般的なビデオデータの如きとして録画・再生等できるものとすればよく、適宜な変換プログラムによって変換するデジタル方式を採用すれば近時急速に発達・普及しているパソコンなどの情報通信端末機器を画像処理システム３として採用して記録、再生のみでなく、様々な加工処理を行ったりデータ通信の対象とすることが可能となる。
【００２０】
ノック式筆記具２への筐体４の取付け関係は、ネジや嵌め込み方式を利用すればよいが、筆記軸１３と一体的なものとして形成してもかまわない。また、ライン８は、画像変換方式に従って、アナログ対応のものとデジタル対応のものを使い分けるのは当然のことである。
【００２２】
この場合でも、実際に画像データを取り込むにはライン８を介して画像処理システム３と接続して行うものであり、画像取り込みのためのオン・オフスイッチ（シャッタースイッチ）１４は、画像処理システム３に付属せしめればよい。あるいは、この場合にはユニット１にオン・オフスイッチ１４を付加することでも対処可能である。
【００２３】
また、キャラクター形状を利用した筐体４に対して可動部材１５や発光・点滅部材１６を付加して、筐体４に付属させたスイッチ１４や図１に示したノック部１２への操作に連動して多様な動作を実現したり発光・点滅するようにしておけば、キャラクター部材としての娯楽性を高めることができる。可動部材１５に対する可動関係は、従来一般化しているキーホルダーなどに採用するキャラクター部材に対する可動関係と同様に実現させればよく、また、発光・点滅部材１６としてはＬＥＤなどを採用し、画像取り込み処理のためのバッテリー１１とは別のバッテリー１１ａを筐体４内、あるいは、筆記具２の筆記軸１３に内臓せしめればよい。
【００２４】
上記した可動変化や発光・点滅は、画像取り込み処理のためのオン・オフスイッチ１４の操作と連動したものとされるので、本発明のカメラレンズ端末ユニット１を、ライン８を介して適宜な画像処理システム３に繋いだ状態で実際の撮影を行う場合にも実現されることとなる。したがって、カメラレンズ端末ユニット１自体がキャラクター形状を利用することで被撮影者に撮影作業を意識させにくいものとなっているのに加えて、可動変化や発光・点滅によって被撮影者が意外性やユーモアを感じるなどしてより自然な表情をとるようになり、普通のカメラやビデオ装置での撮影よりも変化のある撮影作業を行うことが可能となる。
【００２７】
【発明の効果】
以上説明したような本発明によるならば、必要最少限度の部材で構成された画像データ取り込み用端末ユニットをキャラクター形状を利用した筐体に内臓させることで、使用者の趣味や美感に応じた多様な選択を可能とすると共に撮影作業においても通常の撮影機器にない意外性や変化を感じさせるものとなし得、筆記具やキーホルダー、ストラップと組合わせた製品として提供することができ、さらに機能を簡易化することで低コストな製品とすることも可能なものであって、工業的にその価値の高い発明である。
【図面の簡単な説明】
【図１】  本発明のカメラレンズ端末ユニットをノック式筆記具と一体化したものの１例について、画像処理システムの構成図とともに示した説明図である。
【符号の説明】
１  カメラレンズ端末ユニット
２  ノック式筆記具
３  画像処理システム
４  キャラクター形状の筐体
５  レンズ
６  画像データ変換装置
７  ライン接続部
８  ライン
９  記録装置
１０  画像出力装置
１１  バッテリー
１１ａ  発光・点滅用バッテリー
１２  ノック部
１３  筆記軸
１４  画像取り込み用オン・オフスイッチ
１５  可動部材
１６  発光・点滅部材
【図１】
0004471455.tif 000002